(57)【要約】【課題】携帯端末とペアリング可能な情報処理装置の所在を簡便に取得可能な情報処理システムを提供する。【解決手段】情報処理システム１００において、第１及び第２情報処理装置２ａ，２ｂそれぞれは、装置識別情報ＩＤと位置情報Ｌとを含む装置情報Ｅを位置情報サーバ２００に通知し、携帯端末１は、適合情報処理装置の位置情報の送信要求Ｒｓを位置情報サーバ２００に通知する。位置情報サーバ２００は、携帯端末１から送信要求Ｒｓを取得した場合に、第１及び第２装置情報Ｅ2a，Ｅ2bを参照することによって、第１及び第２情報処理装置２ａ，２ｂの中から適合情報処理装置を選択し、適合情報処理装置の位置情報を携帯端末１に通知する。【選択図】図１
2013171518.tif 000002
【特許請求の範囲】
【請求項１】
少なくとも一つの情報処理装置と、携帯端末と、前記少なくとも一つの情報処理装置及び前記携帯端末それぞれと通信網を介して接続可能なサーバと、を備える情報処理システムであって、
前記少なくとも一つの情報処理装置それぞれは、自装置を識別するための装置識別情報と自装置の位置を示す位置情報とを含む装置情報を前記サーバに通知し、
前記携帯端末は、自装置と通信可能な適合情報処理装置の位置情報の送信要求を前記サーバに通知し、
前記サーバは、前記携帯端末から通知される前記送信要求を取得した場合に、前記少なくとも一つの情報処理装置から通知された前記少なくとも一つの装置情報を参照することによって、前記少なくとも一つの情報処理装置の中から前記適合情報処理装置を選択し、前記適合情報処理装置の位置情報を前記携帯端末に通知する、
情報処理システム。
【請求項２】
前記装置情報は、前記少なくとも一つの情報処理装置それぞれが通信可能な携帯端末を示す適合端末情報を含み、
前記送信要求は、前記携帯端末を識別するための端末識別情報を含んでおり、
前記サーバは、前記適合端末情報と前記端末識別情報とを比較することによって、前記適合情報処理装置を選択する、
請求項１に記載の情報処理システム。
【請求項３】
前記送信要求は、前記携帯端末の位置情報を含んでおり、
前記サーバは、前記装置情報中の位置情報と前記携帯端末の位置情報とを比較することによって、前記適合情報処理装置を選択する、
請求項２に記載の情報処理システム。
【請求項４】
前記携帯端末は、前記端末識別情報を報知し、
前記少なくとも一つの情報処理装置のうち前記適合情報処理装置は、報知された前記端末識別情報を取得した場合、自装置が前記適合情報処理装置であることを外部に通知する、
請求項２に記載の情報処理システム。
【発明の詳細な説明】
【技術分野】
【０００１】
本発明は、携帯端末と情報処理装置とが通信することによって情報を処理する情報処理システムに関する。
【背景技術】
【０００２】
近年、通話機能だけでなく各種のアプリケーション機能を有する携帯端末（例えば、スマートフォン）が広く利用されている。また、このような携帯端末を情報処理装置（例えば、パーソナルコンピュータなど）のシンクライアント端末や操作端末として利用することが提案されている（例えば、特許文献１参照）。
【先行技術文献】
【特許文献】
【０００３】
【特許文献１】特開２０１０−７９７１５号公報
【発明の概要】
【発明が解決しようとする課題】
【０００４】
しかしながら、携帯端末のユーザが、ペアリング可能な情報処理装置のシンクライアント端末や操作端末として携帯端末を利用したい場合であっても、ユーザが情報処理装置の所在を把握していないことが考えられる。このような場合には、携帯端末のユーザが情報処理装置の所在を簡便に検索できることが望ましい。
本発明は、このような問題に鑑みてなされたものであり、携帯端末とペアリング可能な情報処理装置の所在を簡便に取得可能な情報処理システムを提供することを目的とする。
【課題を解決するための手段】
【０００５】
本情報処理システムは、少なくとも一つの情報処理装置と、携帯端末と、少なくとも一つの情報処理装置及び携帯端末それぞれと通信網を介して接続可能なサーバと、を備える情報処理システムである。少なくとも一つの情報処理装置それぞれは、自装置を識別するための装置識別情報と自装置の位置を示す位置情報とを含む装置情報をサーバに通知する。携帯端末は、自装置と通信可能な適合情報処理装置の位置情報の送信要求をサーバに通知する。サーバは、携帯端末から通知される送信要求を取得した場合に、少なくとも一つの情報処理装置から通知された少なくとも一つの装置情報を参照することによって、少なくとも一つの情報処理装置の中から適合情報処理装置を選択し、適合情報処理装置の位置情報を携帯端末に通知する。
【発明の効果】
【０００６】
本発明によれば、携帯端末とペアリング可能な情報処理装置の所在を簡便に取得可能な情報処理システムを提供することができる。
【図面の簡単な説明】
【０００７】
【図１】情報処理システムの構成を示す模式図
【図２】携帯端末の機能ブロック図
【図３】情報処理装置の機能ブロック図
【図４】位置情報サーバのブロック図
【図５】位置情報テーブルを示す図
【図６】情報処理システムの動作を説明するためのシーケンス図
【発明を実施するための形態】
【０００８】
〔情報処理システム１００の概略構成〕
図１は、情報処理システム１００の全体構成を示す模式図である。
情報処理システム１００は、携帯端末１と、第１及び第２情報処理装置２ａ，２ｂと、位置情報サーバ２００と、を備える。
携帯端末１は、通話機能と各種のアプリケーション機能とを有するスマートフォンである。携帯端末１は、タッチパネル式のモニタ部３を備える。携帯端末１は、広域通信網３００を介して位置情報サーバ２００と接続可能である。広域通信網３００は、例えば、インターネット回線である。また、携帯端末１は、Ｂｌｕｅｔｏｏｔｈ（登録商標）や８０２．１１無線などの通信規格に準拠する無線回線を介して、自装置と通信可能な情報処理装置（以下、「適合情報処理装置」という。）と直接的に相互通信可能である。本実施形態では、第１及び第２情報処理装置２ａ，２ｂのうち第１情報処理装置２ａのみが携帯端末１とペアリング可能であるものとする。
【０００９】
携帯端末１は、図１に示すように、ユーザの操作に応じて、適合情報処理装置の位置情報の送信要求Ｒｓを位置情報サーバ２００に通知する。送信要求Ｒｓには、自装置を識別するための端末識別情報ＩＤ1が含まれている。本実施形態では、端末識別情報ＩＤ1として携帯端末１のＩＰアドレスが用いられることとする。次に、携帯端末１は、送信要求Ｒｓに応じて位置情報サーバ２００から通知される適合情報処理装置の位置情報（本実施形態では、後述する第１位置情報Ｌ2a）を取得する。続いて、携帯端末１は、適合情報処理装置の位置情報に基づいて、適合情報処理装置が位置する住所や周辺地図をモニタ部３に表示する。その後、ユーザは、携帯端末１を表示された位置まで携行して、適合情報処理装置に接続要求Ｒｃを送信することによって、適合情報処理装置とペアリングさせることができる。
【００１０】
第１及び第２情報処理装置２ａ，２ｂは、ラップトップ式コンピュータである。第１及び第２情報処理装置２ａ，２ｂは、広域通信網３００を介して位置情報サーバ２００と接続可能である。また、第１情報処理装置２ａは、無線回線を介して携帯端末１と通信可能であり、第２情報処理装置２ｂは、携帯端末１と通信不能である。
第１情報処理装置２ａは、図１に示すように、第１装置情報Ｅ2aを位置情報サーバ２００に通知する。第１装置情報Ｅ2aには、自装置を識別するための第１装置識別情報ＩＤ2aと、自装置の位置を示す第１位置情報Ｌ2aと、自装置が通信可能な携帯端末（以下、「適合携帯端末」という。）を示す第１適合端末情報Ｆ2aと、が含まれている。本実施形態では、第１装置識別情報ＩＤ2aとして第１情報処理装置２ａのＩＰアドレスが用いられ、第１位置情報Ｌ2aとして第１情報処理装置２ａの位置を示すＧＰＳ（Global Positioning System）情報が用いられ、第１適合端末情報Ｆ2aとして適合携帯端末のＩＰアドレスが用いられることとする。第１情報処理装置２ａは、携帯端末１から接続要求Ｒｃを取得すると、携帯端末１に接続応答Ａｃを送信する。
【００１１】
同様に、第２情報処理装置２ｂは、図１に示すように、第２装置情報Ｅ2bを位置情報サーバ２００に通知する。第２装置情報Ｅ2bには、自装置を識別するための第２装置識別情報ＩＤ2bと、自装置の位置を示す第２位置情報Ｌ2bと、装置の適合携帯端末を示す第２適合端末情報Ｆ2bと、が含まれている。本実施形態では、第２装置識別情報ＩＤ2bとして第２情報処理装置２ｂのＩＰアドレスが用いられ、第２位置情報Ｌ2bとして第２情報処理装置２ｂの位置を示すＧＰＳ情報が用いられ、第２適合端末情報Ｆ2bとして適合携帯端末のＩＰアドレスが用いられることとする。
【００１２】
位置情報サーバ２００は、携帯端末１から送信要求Ｒｓが通知された場合、第１及び第２情報処理装置２ａ，２ｂのうち携帯端末１と通信可能な適合情報処理装置の位置情報を、携帯端末１に通知する。具体的には、まず、位置情報サーバ２００は、第１及び第２情報処理装置２ａ，２ｂから通知される第１及び第２装置情報Ｅ2a，Ｅ2bを取得する。次に、位置情報サーバ２００は、携帯端末１から通知される送信要求Ｒｓを取得する。続いて、位置情報サーバ２００は、第１及び第２装置情報Ｅ2a，Ｅ2bを参照することによって、第１及び第２情報処理装置２ａ，２ｂの中から適合情報処理装置を選択する。次に、位置情報サーバ２００は、適合情報処理装置の位置情報（本実施形態では、第１位置情報Ｌ2a）を携帯端末１に通知する。なお、位置情報サーバ２００が適合情報処理装置を選択する手法については後述する。
【００１３】
〔携帯端末１の機能構成〕
次に、図２を参照しながら、携帯端末１の機能構成について説明する。以下の説明では、本発明に関係する機能構成について主に説明し、携帯端末１の基本的な機能（例えば、通話機能やデータ伝送機能など）についての説明は省略する。
図２は、携帯端末１の機能構成を示すブロック図である。図２に示すように、携帯端末１は、端末制御部１０と、通信部１６と、記憶部１７と、操作部１８と、を備える。
【００１４】
端末制御部１０は、マイクロプロセッサを利用したＣＰＵ１１（Central Processing Unit）と、画像処理回路１４と、サウンド処理回路１５と、を有する。これらは、バス２５を介して互いに接続されている。
ＣＰＵ１１は、プログラムからの命令を解釈し実行する。また、ＣＰＵ１１は、入出力命令を解釈し、データの入力や出力を実行する。さらに、ＣＰＵ１１は、各種データの記憶部１７に対する書き込み処理や読み出し処理を実行する。
【００１５】
ＣＰＵ１１は、タッチパネル式のモニタ部３を介して、適合情報処理装置の位置情報の取得指示をユーザから受付ける。ＣＰＵ１１は、取得指示を受付けた場合、端末識別情報ＩＤ1を含む送信要求Ｒｓを生成し、通信部１６を介して送信要求Ｒｓを位置情報サーバ２００に通知する。次に、ＣＰＵ１１は、送信要求Ｒｓに応じて位置情報サーバ２００から通知される適合情報処理装置の位置情報（本実施形態では、第１情報処理装置２ａの第１位置情報Ｌ2a）を取得する。次に、ＣＰＵ１１は、画像処理回路１４に描画指示をすることによって、第１位置情報Ｌ2aをモニタ部３に表示させる。
【００１６】
また、ＣＰＵ１１は、タッチパネル式のモニタ部３を介して、適合情報処理装置（本実施形態では、第１情報処理装置２ａ）との接続要求Ｒｃの報知指示をユーザから受付ける。ＣＰＵ１１は、報知指示を受付けた場合、端末識別情報ＩＤ1を含む接続要求Ｒｃを生成し、通信部１６を介して接続要求Ｒｃを近距離（例えば、半径数メートル〜数十メートルの範囲）に報知する。その後、ＣＰＵ１１は、接続要求Ｒｃに応じて第１情報処理装置２ａから通知される接続応答Ａｃを取得し、第１情報処理装置２ａとの接続を確立させる。そして、ＣＰＵ１１は、記憶部１７に記憶されている各種アプリケーションプログラムを起動することによって、第１情報処理装置２ａのシンクライアント端末や操作端末として機能するための制御を開始する。
【００１７】
画像処理回路１４は、ＣＰＵ１１からの描画指示に応じてモニタ部３を制御することによって、液晶モニタ３ａに所定の画像を表示させる。また、画像処理回路１４にはタッチ入力検出回路１４ａが含まれている。タッチ入力検出回路１４ａは、タッチパネルに指示手段（タッチペンや指など）が接触されたことを検出した場合に、接触信号をＣＰＵ１１に送信する。
【００１８】
サウンド処理回路１５は、ＣＰＵ１１からの発音命令に応じたアナログ音声信号を生成して、音出力用のマイク５ａおよび／又はスピーカ６に出力する。音出力用の出力マイク５ａおよび／又はスピーカ６の音量は、操作部１８のボリュームボタンによって調節される。また、サウンド処理回路１５は、音入力用の入力マイク５ｂから音が入力されたときに、アナログ音声信号をデジタル音声信号に変換する。
【００１９】
通信部１６は、データ通信するための通信機能や、電話として通信するための通信機能等を有している。データ通信用の通信機能には、ローカルワイヤレスネットワーク機能や、ワイヤレスＬＡＮによるインターネット接続機能等が、含まれている。
通信部１６は、通信制御回路２０と通信インターフェイス２１とを有している。通信制御回路２０および通信インターフェイス２１は、バス２５を介してＣＰＵ１１に接続されている。通信制御回路２０および通信インターフェイス２１は、ＣＰＵ１１からの命令に応じて、携帯端末１を、Ｂｌｕｅｔｏｏｔｈ（登録商標）等により第１情報処理装置２ａに接続するための接続信号を制御する。
【００２０】
記憶部１７は、本体に内蔵されており、バス２５に接続される。記憶部１７は、ＲＯＭ１２（Read Only Memory）と、ＲＡＭ１３（Random Access Memory）と、フラッシュメモリ１９とを、有している。ＲＯＭ１２は、携帯端末１の基本的な制御（例えば起動制御等）に必要なデータ処理、ファイル制御、及び基本制御等に関するアプリケーションプログラム等を記憶している。本実施形態では、ＲＯＭ１２には、端末識別情報ＩＤ1が記録されている。
【００２１】
ＲＡＭ１３は、端末制御部１０のワークメモリとして機能する。ＲＡＭ１３は、ＳＤＲＡＭ等で実現される。ＲＡＭ１３は、各種データ、画像情報、及び音声情報などを記録するための内部メモリとしても機能する。フラッシュメモリ１９は、書き換え可能な不揮発性のメモリである。フラッシュメモリ１９には、基本プログラム、各種データ、及びハード制御用のプログラムが記録される。また、フラッシュメモリ１９には、ＯＳ（Operating System）がインストールされる。なお、フラッシュメモリ１９は、ＲＡＭ１３に統合されていてもよい。
【００２２】
操作部１８は、図示しない、ホームボタン及びボリュームボタン等を有している。ホームボタンが押されると、ホーム画面が表示されたり、携帯端末１がスリープ状態から復帰したりする。ボリュームボタンが押されると、音量の増減が行われる。
なお、バス２５と各要素との間には必要に応じてインターフェイス回路が介在しているが、ここではそれらの図示は省略している。
【００２３】
〔第１及び第２情報処理装置２ａ，２ｂの機能構成〕
次に、図３を参照しながら、第１及び第２情報処理装置２ａ，２ｂの機能構成について説明する。以下の説明では、本発明に関係する機能構成について主に説明し、第１及び第２情報処理装置２ａ，２ｂの基本的な機能（例えば、データ伝送機能など）についての説明は省略する。また、第１及び第２情報処理装置２ａ，２ｂそれぞれの機能構成は同じであるので、以下においては第１情報処理装置２ａの機能構成についてのみ説明する。
【００２４】
図３は、第１情報処理装置２ａの機能構成を示すブロック図である。図３に示すように、第１情報処理装置２ａは、装置制御部１１０と、通信部１１６と、記憶部１１７と、入力部１１８と、を備える。
ここで、装置制御部１１０、通信部１１６及び記憶部１１７の基本的な機能は、携帯端末１の端末制御部１０、通信部１６及び記憶部１７と同様である。そのため、以下においては、携帯端末１と同様の機能については簡単に説明し、携帯端末１と異なる機能について主に説明する。
【００２５】
装置制御部１１０は、ＣＰＵ１１１と、画像処理回路１１４と、サウンド処理回路１１５とを、有している。これらは、バス１２５を介して互いに接続されている。
ＣＰＵ１１１は、各種の命令を解釈し、各種の処理を実行する。ＣＰＵ１１１は、定期的に、或いは、ユーザの操作に応じて、第１装置情報Ｅ2aを位置情報サーバ２００に通知する。上述の通り、第１装置情報Ｅ2aには、第１装置識別情報ＩＤ2aと、第１位置情報Ｌ2aと、第１適合端末情報Ｆ2aと、が含まれている。
【００２６】
また、ＣＰＵ１１１は、通信部１１６を介して携帯端末１から報知される接続要求Ｒｃを取得した場合、携帯端末１が適合携帯端末であるか否かを判定する。ＣＰＵ１１１は、報知された端末識別情報ＩＤ1と第１適合端末情報Ｆ2aとが一致する場合、携帯端末１が適合携帯端末であると判定し、端末識別情報ＩＤ1と第１適合端末情報Ｆ2aとが一致しない場合、携帯端末１が適合携帯端末ではないと判定する。ＣＰＵ１１１は、携帯端末１が適合携帯端末であると判定した場合、通信部１１６を介して携帯端末１に接続応答Ａｃを通知し、第１情報処理装置２ａとの接続を確立させる。そして、ＣＰＵ１１１は、携帯端末１をシンクライアント端末や操作端末として機能させるための制御を開始する。
【００２７】
また、ＣＰＵ１１１は、携帯端末１が適合携帯端末であると判定した場合、画像処理回路１１４を介してその旨をモニタ部４に表示させたり、サウンド処理回路１１５を介してその旨をスピーカ２１６から出力させる。
画像処理回路１１４は、ＣＰＵ１１１からの描画指示に応じてモニタ部４を制御することによって、モニタ４ａに所定画像を表示させる。モニタ４ａは、タッチパネルであってもよいし、非タッチパネルであってもよい。サウンド処理回路１１５は、ＣＰＵ１１１からの発音指示に応じたアナログ音声信号を生成して、スピーカ２１６に出力する。通信部１１６は、データ通信するための通信機能等を有している。
【００２８】
記憶部１１７は、本体に内蔵されており、バス１２５に接続される。例えば、記憶部１１７は、ＲＯＭ１１２と、ＲＡＭ１１３と、ハードディスク１１９とを、有している。ＲＯＭ１１２は、ＰＣ２の基本制御に関するプログラム等を、記録する。ＲＡＭ１１３は、装置制御部１１０のワークメモリとして機能する。ハードディスク１１９は、例えば、磁気ディスクである。ハードディスク１１９は、基本プログラム、各種データ、及びハード制御用のプログラムが、記録される。また、ハードディスク１１９には、ＯＳがインストールされる。
【００２９】
入力部１１８は、情報を入力可能な装置である。入力部１１８は、例えばキーボード及び／又はマウスである。ユーザは、入力部１１８を操作することによって、所望の命令を装置制御部１１０に指示する。
なお、バス１２５と各要素との間には必要に応じてインターフェイス回路が介在しているが、ここではそれらの図示は省略している。
【００３０】
〔位置情報サーバ２００の機能構成〕
次に、図４を参照しながら、位置情報サーバ２００の機能構成について説明する。図４は、位置情報サーバ２００の機能構成を示すブロック図である。
位置情報サーバ２００は、図４に示すように、サーバ制御部２１０と、記憶部２２０と、を備える。
【００３１】
サーバ制御部２１０は、位置情報テーブル生成部２１１と、選択部２１２と、通信制御部２１３と、を有する。
位置情報テーブル生成部２１１は、通信制御部２１３を介して第１及び第２情報処理装置２ａ，２ｂから通知される第１及び第２装置情報Ｅ2a，Ｅ2bを取得する。位置情報テーブル生成部２１１は、取得した第１及び第２装置情報Ｅ2a，Ｅ2bに基づいて、位置情報テーブルＬＴを生成する。ここで、図５は、位置情報テーブルＬＴの一例を示す図である。図５に示すように、位置情報テーブルＬＴでは、第１情報処理装置２ａに対して、第１装置識別情報ＩＤ2aと第１位置情報Ｌ2aと第１適合端末情報Ｆ2aとが関連づけられている。同様に、位置情報テーブルＬＴでは、第２情報処理装置２ｂに対して、第２装置識別情報ＩＤ2bと第２位置情報Ｌ2bと第２適合端末情報Ｆ2bとが関連づけられている。図５の例では、第１適合端末情報Ｆ2aには４つの適合端末識別情報ＩＤ1，ＩＤX，ＩＤY，ＩＤZが含まれており、第２適合端末情報Ｆ2bには１つの適合端末識別情報ＩＤQのみが含まれている。位置情報テーブル生成部２１１は、生成した位置情報テーブルＬＴを記憶部２２０に格納する。
【００３２】
選択部２１２は、通信制御部２１３を介して携帯端末１から通知される送信要求Ｒｓを取得する。選択部２１２は、記憶部２２０に格納された位置情報テーブルＬＴを参照して、第１及び第２情報処理装置２ａ，２ｂの中から適合情報処理装置を選択する。具体的に、選択部２１２は、位置情報テーブルＬＴ上の第１及び第２適合端末情報Ｆ2a，Ｆ2bと送信要求Ｒｓに含まれる端末識別情報ＩＤ1とが一致するか否かを判定する。本実施形態において、選択部２１２は、第１適合端末情報Ｆ2aに端末識別情報ＩＤ1と一致する情報が含まれていると判定することに応じて、第１情報処理装置２ａを適合情報処理装置として選択する。そして、選択部２１２は、通信制御部２１３を介して第１情報処理装置２ａに関連づけられた第１装置識別情報ＩＤ2aと第１位置情報Ｌ2aとを携帯端末１に通知する。
【００３３】
〔情報処理システム１００の動作〕
次に、図６を参照しながら、情報処理システム１００の動作について説明する。図６は、情報処理システム１００の動作を説明するためのシーケンス図である。
まず、ステップＳ１０において、第１及び第２情報処理装置２ａ，２ｂは、位置情報サーバ２００に第１及び第２装置情報Ｅ2a，Ｅ2bを通知する。第１装置情報Ｅ2aには、第１装置識別情報ＩＤ2aと第１位置情報Ｌ2aと第１適合端末情報Ｆ2aとが含まれ、第２装置情報Ｅ2bには、第２装置識別情報ＩＤ2bと第２位置情報Ｌ2bと第２適合端末情報Ｆ2bとが含まれている。
【００３４】
次に、ステップＳ２０において、位置情報サーバ２００は、第１及び第２装置情報Ｅ2a，Ｅ2bに基づいて、位置情報テーブルＬＴを生成する。
次に、ステップＳ３０において、携帯端末１は、適合情報処理装置の位置情報の送信要求Ｒｓを位置情報サーバ２００に通知する。
次に、ステップＳ４０において、位置情報サーバ２００は、位置情報テーブルＬＴを参照して、第１及び第２情報処理装置２ａ，２ｂの中から適合情報処理装置を選択する。本実施形態において、位置情報サーバ２００は、第１適合端末情報Ｆ2aと端末識別情報ＩＤ1とが一致すると判定して、第１情報処理装置２ａを適合情報処理装置として選択する。
【００３５】
次に、ステップＳ５０において、位置情報サーバ２００は、第１情報処理装置２ａに関連づけられた第１装置識別情報ＩＤ2aと第１位置情報Ｌ2aとを携帯端末１に通知する。
次に、ステップＳ６０において、携帯端末１は、位置情報サーバ２００から通知された第１装置識別情報ＩＤ2aと第１位置情報Ｌ2aとに基づいて、第１情報処理装置２ａの住所や周辺地図をモニタ部３に表示する。
【００３６】
次に、ステップＳ７０において、携帯端末１は、ユーザの指示に応じて、端末識別情報ＩＤ1を含む接続要求Ｒｃを近辺に報知する。上述の通り、接続要求Ｒｃには、端末識別情報ＩＤ1が含まれている。
次に、ステップＳ８０において、第１情報処理装置２ａは、接続要求Ｒｃに基づいて、携帯端末１が適合携帯端末であるか否かを判定する。具体的に、第１情報処理装置２ａは、接続要求Ｒｃに含まれる端末識別情報ＩＤ1と第１適合端末情報Ｆ2aとが一致するかを判定する。本実施形態において、第１情報処理装置２ａは、端末識別情報ＩＤ1と第１適合端末情報Ｆ2aとが一致すると判定する。
【００３７】
また、ステップＳ８０と同様、ステップＳ９０において、第２情報処理装置２ｂは、接続要求Ｒｃに基づいて、携帯端末１が適合携帯端末であるか否かを判定する。本実施形態において、第２情報処理装置２ｂは、端末識別情報ＩＤ1と第２適合端末情報Ｆ2bとが一致しないと判定して処理を終了する。
次に、ステップＳ１００において、第１情報処理装置２ａは、自装置が携帯端末１の適合情報装置である旨を外部に通知する。具体的に、第１情報処理装置２ａは、接続要求Ｒｃを取得した旨をモニタ部２１３に表示したり、或いは、その旨をスピーカ２１６から音声で出力したりする。
【００３８】
次に、ステップＳ１１０において、第１情報処理装置２ａは、携帯端末１に接続応答Ａｃを通知して、携帯端末１との通信確立を開始する。
〔作用及び効果〕
（１）本実施形態に係る情報処理システム１００において、位置情報サーバは、携帯端末１から送信要求Ｒｓを取得した場合に、第１及び第２装置情報Ｅ2a，Ｅ2bを参照することによって、第１及び第２情報処理装置２ａ，２ｂの中から適合情報処理装置を選択し、適合情報処理装置の位置情報を携帯端末１に通知する。
【００３９】
従って、携帯端末１のユーザが適合情報処理装置の所在を把握していない場合において、携帯端末１とペアリング可能な適合情報処理装置の位置を簡便に取得することができる。
（２）本実施形態に係る位置情報サーバ２００は、第１適合端末情報Ｆ2aと端末識別情報ＩＤ1とを比較することによって、適合情報処理装置を選択する。
【００４０】
従って、第１及び第２情報処理装置２ａ，２ｂの一方のみが適合情報処理装置である場合においても、位置情報サーバ２００は、適合情報処理装置を正確に選択して携帯端末１に通知することができる。
（３）適合情報処理装置である第１情報処理装置２ａは、携帯端末１から報知された端末識別情報ＩＤ1を取得した場合、自装置が適合情報処理装置であることを外部に通知する。
【００４１】
従って、例えば、第１及び第２情報処理装置２ａ，２ｂが隣接している場合において、第１及び第２情報処理装置２ａ，２ｂのいずれが適合情報処理装置であるのかを、携帯端末１のユーザに知らせることができる。
〔他の実施形態〕
（Ａ）上記実施形態では、第１及び第２装置情報Ｅ2a，Ｅ2bには、第１及び第２適合端末情報Ｆ2a，Ｆ2bが含まれることとしたが、これに限られるものではない。例えば、情報処理システム１００において、全ての携帯端末と全ての情報処理装置とが互いに通信可能である場合には、装置情報Ｅには適合端末情報Ｆは含まれていなくてもよい。この場合、位置情報サーバ２００は、複数の装置情報を参照して、全ての情報処理装置を適合情報処理装置として選択すればよい。
【００４２】
（Ｂ）上記実施形態では、端末識別情報ＩＤおよび適合端末情報Ｆとして携帯端末１のＩＰアドレスが用いられることとしたが、これに限られるものではない。端末識別情報ＩＤおよび適合端末情報Ｆとしては、例えば、携帯端末１の製造元情報や携帯端末１の型式又は型番などを用いることができる。また、端末識別情報ＩＤと適合端末情報Ｆとの対応を認識できる限りにおいて、端末識別情報ＩＤと適合端末情報Ｆとは異なっていてもよい。
【００４３】
（Ｃ）上記実施形態では、装置識別情報ＩＤとして情報処理装置のＩＰアドレスが用いられることとしたが、これに限られるものではない。装置識別情報ＩＤとしては、例えば、情報処理装置の製造元情報や情報処理装置の型式又は型番などを用いることができる。
（Ｄ）上記実施形態では、適合情報処理装置は、自装置が適合情報処理装置であることを外部に通知することとしたが、その旨を外部に通知しなくてもよい。この場合には、第１及び第２情報処理装置２ａ，２ｂそれぞれが隣接していたとしても、携帯端末１のユーザが第１及び第２情報処理装置２ａ，２ｂそれぞれに対して接続要求Ｒｃを送信すればよい。
【００４４】
（Ｅ）上記実施形態では、携帯端末の一例としてスマートフォンを挙げ、情報処理装置の一例としてラップトップ式コンピュータを挙げたが、これに限られるものではない。携帯端末はラップトップ式コンピュータであってもよいし、情報処理装置はスマートフォンやデスクトップ型コンピュータなどであってもよい。
（Ｆ）上記実施形態では、位置情報サーバ２００は、第１情報処理装置２ａに関連づけられた第１装置識別情報ＩＤ2aと第１位置情報Ｌ2aとを携帯端末１に通知することとしたが、第１位置情報Ｌ2aのみを携帯端末１に通知することとしてもよい。
【００４５】
（Ｇ）上記実施形態では、携帯端末１は、送信要求Ｒｓ中に、自装置を識別するための端末識別情報ＩＤ1を含めたが、端末識別情報ＩＤ1以外に自装置の位置情報を含めてもよい。位置情報サーバ２００は、適合情報処理装置が複数存在する場合、それぞれの適合情報処理装置の位置情報を、携帯端末１の位置情報と比較し、携帯端末１の最も近くに位置する適合情報処理装置を選択し、携帯端末１に通知することとしてもよい。これにより、携帯端末１は、現在位置から、最も近くにあるペアリング可能な情報処理装置の所在を把握することができる。
【００４６】
（Ｈ）上記実施形態では、情報処理システム１００には、第１及び第２情報処理装置２ａ，２ｂが含まれることとしたが、これに限られるものではない。情報処理システム１００には、１つ又は３つ以上の情報処理装置が含まれていてもよい。また、情報処理システム１００には、１つの携帯端末１が含まれることとしたが、これに限られるものではない。情報処理システム１００には、複数の携帯端末が含まれていてもよい。
【産業上の利用可能性】
【００４７】
本発明は、情報処理システムに広く利用可能である。
【符号の説明】
【００４８】
１      携帯端末
２      情報処理装置
１００  情報処理システム
２００  位置情報サーバ
【図１】
2013171518.tif 000003
【図２】
2013171518.tif 000004
【図３】
2013171518.tif 000005
【図４】
2013171518.tif 000006
【図５】
2013171518.tif 000007
【図６】
2013171518.tif 000008